(57)【要約】【目的】ファスナーを取り付けた部分の厚みが大きくならず、また、見栄えの悪くならないファスナーの取り付け構造を提供すること。【構成】この発明のファスナーの取り付け構造は、開閉可能に形成された生地１の合わせ部分となる縁部２にファスナー３を取り付けるための構造であって、生地１は表地４と裏地５からなり、かつ、縁部２において、表地４と裏地５が分離した部分を有しており、この部分における表地４と裏地５の間にファスナー片６を挟んで取り付けているものとしている。【選択図】　図３
2004019029.tif 000002
【特許請求の範囲】
【請求項１】
開閉可能に形成された生地（１）の合わせ部分となる縁部（２）にファスナー（３）を取り付けるための構造であって、生地（１）は表地（４）と裏地（５）からなり、かつ、縁部（２）において、表地（４）と裏地（５）が分離した部分を有しており、この部分における表地（４）と裏地（５）の間にファスナー片（６）を挟んで取り付けていることを特徴とするファスナーの取り付け構造。
【請求項２】
表地（４）と裏地（５）の各端部（７）（８）を内側に折って、ファスナー片（６）とともに縫合している請求項１記載のファスナーの取り付け構造。
【発明の詳細な説明】
【０００１】
【発明の属する技術分野】
この発明は、衣服等の適宜の生地へのファスナーの取り付け構造に関するものである。
【０００２】
【従来の技術】
従来、ジャージの襟をファスナー３により開閉できるようにしたものは、図６に示すように、襟部分の生地１の裏側に、縁に沿ってファスナー片６を位置させ、その上から伏せテープ１５を被せて縫合することにより、ファスナー３を取り付ける構造としていた。
【０００３】
しかし、この従来のファスナーの取り付け構造では、ファスナー３を一部開放して襟を返したときに、図７に示したように、伏せテープ１５の厚みの分、ファスナー３を取り付けた部分の厚みが増し、また、伏せテープが露出し、見栄えが悪いものであった。
【０００４】
【発明が解決しようとする課題】
そこで、この発明は、ファスナーを取り付けた部分の厚みが大きくならず、また、見栄えの悪くならないファスナーの取り付け構造を提供することを課題とする。
【０００５】
【課題を解決するための手段】
前記課題を解決するため、この発明は次のような技術的手段を講じている。
【０００６】
この発明のファスナーの取り付け構造は、開閉可能に形成された生地１の合わせ部分となる縁部２にファスナー３を取り付けるための構造であって、生地１は表地４と裏地５からなり、かつ、縁部２において、表地４と裏地５が分離した部分を有しており、この部分における表地４と裏地５の間にファスナー片６を挟んで取り付けているものとしている。
【０００７】
また、表地４と裏地５の各端部７，８を内側に折って、ファスナー片６とともに縫合しているものとすることができる。
【０００８】
【発明の実施の形態】
以下、この発明の実施形態を、図面を参照して説明する。
【０００９】
この発明のファスナーの取り付け構造は、開閉可能に形成された生地１の合わせ部分となる縁部２にファスナー３を取り付けるための構造であって、生地１は、表地４と裏地５からなり、かつ、縁部２において、表地４と裏地５が分離した部分を有しており、この部分における表地４と裏地５の間にファスナー片６を挟んで取り付けているものとしている。
【００１０】
この実施形態では、ジャージの襟にこのファスナーの取り付け構造を実施した場合について説明する。
【００１１】
図１は、このファスナーの取り付け構造に係る生地１で、その端部を示す図、図２はその断面を模式的に示す図、図３は、生地１にファスナー３を取り付ける方法を示す図、図４は、このファスナーの取り付け構造を実施したジャージの襟を、ファスナー３を一部開放して折り返した状態を示す図である。
【００１２】
ジャージの襟は、それぞれ天竺編みにより編成した表地４と裏地５からなる生地１を用いて製造される。生地１は、適宜の合成繊維や天然繊維で編成することができる。表地４と裏地５は、縁部２を除いて連結糸１０により互いに連結されている。
【００１３】
このファスナーの取り付け構造を実施するジャージの襟は、生地１の左右両端の縁部２を前側中央で合わせられるように輪状にされ、胴部を構成する生地に連結される。ファスナー３は、前側の襟の生地の上端から胴部の生地の胸の上部にまで取り付けられ、生地１を開閉可能としている。
【００１４】
ファスナー３は、左右の各ファスナー片６とスライダー１１から構成される。各ファスナー片６は、布製の帯状体１２と、帯状体１２の縁に設けられたファスナーエレメント１３とを有し、両ファスナー片６のファスナーエレメント１３は、スライダー１１によって、互いに係合及び離脱させられるようになっている。
【００１５】
生地１は、各縁部２において、図１、図２に示したように、表地４と裏地５が分離した部分を有している。各ファスナー片６は、そのファスナーエレメント１３が外に出る態様で、その帯状体１２が生地１の表地４と裏地５の間に挟まれ、表地４、帯状体１２、及び裏地５が重なった状態で縫合される。表地４と裏地５が分離した部分の幅は、前記縫合を行なうのに適宜な大きさとする。
【００１６】
このファスナーの取り付け構造を実施して製造されたジャージの襟は、図４に示したように、伏せテープが露出する従来のファスナーの取り付け構造とは異なり、ファスナー３を取り付けた部分の厚みが大きくならず、すっきりとした印象を与える。
【００１７】
また、表地４と裏地５の各端部７，８が、毛羽立ったり、ギザギザであったり等、見栄えが悪い場合には、図５に示すように、生地１の上端部に短い切れ込み１４を入れ、表地４と裏地５の各端部７，８を内側に折って、ファスナー片６とともに縫合するとよい。これにより、表地４と裏地５の各端部は、折目の部分となり、直線状で美しく仕上がったものとすることができる。
【００１８】
なお、このファスナーの取り付け構造の実施は、ジャージの襟に限定されるものではなく、また、生地１の種類等も前述の例に限定されない。
【００１９】
【発明の効果】
この発明のファスナーの取り付け構造は、上述のような構成を有しており、ファスナーを取り付けた部分の厚みが大きくならず、また、見栄えの悪くならないものとすることができる。
【図面の簡単な説明】
【図１】この発明の実施形態のファスナーの取り付け構造に係る生地で、その端部を示す斜視図。
【図２】この発明の実施形態のファスナーの取り付け構造に係る生地の断面の模式図。
【図３】この発明の実施形態のファスナーの取り付け構造に係る、生地にファスナーを取り付ける方法を示す説明図。
【図４】この発明の実施形態のファスナーの取り付け構造を実施したジャージの襟を、ファスナーを一部開放して折り返した状態を示す説明図。
【図５】この発明の実施形態のファスナーの取り付け構造表において、表地と裏地の各端部を内側に折る場合の説明図。
【図６】従来のファスナーの取り付け構造を示す斜視図。
【図７】従来のファスナーの取り付け構造を実施したジャージの襟を、ファスナーを一部開放して折り返した状態を示す説明図。
【符号の説明】
１　生地
２　縁部
３　ファスナー
４　表地
５　裏地
６　ファスナー片
７　表地の端部
８　裏地の端部
【図１】
2004019029.tif 000003
【図２】
2004019029.tif 000004
【図３】
2004019029.tif 000005
【図４】
2004019029.tif 000006
【図５】
2004019029.tif 000007
【図６】
2004019029.tif 000008
【図７】
2004019029.tif 000009